(57)【要約】      （修正有）【課題】種々の環境に簡易に設置することができ、かつ物の受け渡しがしやすく、かつ抗菌作用を有する飛沫防止装置を提供する。【解決手段】飛沫防止装置１は、一対の支柱であって、該支柱の長手方向に伸縮可能である支柱２と、支柱２の長手方向に沿って移動可能かつ固定可能に設けられた隔離パネル３であって、隔離パネル３は、開閉可能である、隔離パネル３とを備える。隔離パネル３は、一対の支柱２の長手方向に沿って移動可能な可動棒３１と、可動棒３１に開閉可能に設けられた防護板３３と、可動棒３１または防護板３３に設置され、隔離パネル３を支柱２の任意の位置で固定可能な固定部３４とを備える。【選択図】図１
0003228215.tif 000002
【実用新案登録請求の範囲】
【請求項１】
一対の支柱であって、該支柱の長手方向に伸縮可能である支柱と、
前記支柱の長手方向に沿って移動可能かつ固定可能に設けられた隔離パネルであって、該隔離パネルは、開閉可能である、隔離パネルと、
を備える、飛沫防止装置。
【請求項２】
前記隔離パネルは、
前記一対の支柱の長手方向に沿って移動可能な可動棒と、
前記可動棒に開閉可能に設けられた防護板と、
前記可動棒または前記防護板に設置され、前記隔離パネルを前記支柱の任意の位置で固定可能な固定部と、
を備える、請求項1に記載の飛沫防止装置。
【請求項３】
前記隔離パネルは、抗菌塗料で被覆されている、請求項1または2に記載の飛沫防止装置。
【請求項４】
前記隔離パネルは、トルクヒンジを備えることにより開閉可能である、請求項1〜4のいずれか一項に記載の飛沫防止装置。
【請求項５】
前記隔離パネルは、二枚の防護板を備え、一方の防護板が固定され、他方の防護板が開閉可能である、請求項1に記載の飛沫防止装置。
【考案の詳細な説明】
【技術分野】
【０００１】
本発明は、飛沫防止装置に関する。より詳細には、本発明は、感染防止のための飛沫防止装置に関する。
【背景技術】
【０００２】
現在、ウイルスによる感染症が拡大しており、全世界規模で問題となっている。ウイルス等による感染を防止するためには、感染者と接触しないようにすることが重要である。また、感染者が咳やくしゃみをすると、ウイルス等の病原体を含む飛沫が拡散されることとなる。このような感染性飛沫の拡散を防止するために、マスク、フェイスシールドおよび隔離パネルなど、物理的に感染性飛沫の拡散を防止するための方策が採られている。
【０００３】
中でも、比較的近距離では、感染者からの飛沫を十分に防護することが難しい。マスクやフェイスガードによって個々に感染性飛沫の飛散から防護するだけでなく、互いの空間そのものを仕切って気流が混合しないようにすることが理想的である。
【０００４】
店舗のレジや受付などでは、従業者や医療従事者を感染から保護するために防護パネルや防護シートを設けることによって、顧客や患者との間を仕切って気流が混合しないような対策が採られている。
【０００５】
しかし、空間を仕切るために現在利用されている防護パネルやシートは、簡易的に設置されているものが多く、安定した設置ができているとはいえない。あるいは、医療施設などで使用することを想定した無菌室や診療室といった大規模な設備となってしまう。
【０００６】
空間を仕切ることが望まれる場所は様々であり、種々の大きさの部屋等に対応しなければならない。さらに、このような防護パネルやシートは、必要に応じて簡易に設置でき、および撤去できることが望まれている。
【０００７】
さらに、パネルやシートで互いの空間を仕切ってしまうと、互いに物の受け渡しなどを行いにくくなってしまうという問題もある。
【０００８】
たとえば、特許文献1には、多重モジュラー式の飛沫感染防止装置が記載されているが、簡易に設置できる装置とはいえない。
【先行技術文献】
【特許文献】
【０００９】
【特許文献１】特開2011-41686号公報
【考案の概要】
【考案が解決しようとする課題】
【００１０】
上記のとおり、飛沫による感染を防止する装置として、互いの空間を仕切るための簡易に設置することができ、および撤去することができ、かつ互いに物の受け渡しをしやすい飛沫防止装置が望まれている。
【００１１】
本発明は、上述した課題に着目してなされたものであり、種々の環境に簡易に設置することができ、かつ物の受け渡しがしやすく、かつ抗菌作用を有する飛沫防止装置を提供することを目的とする。
【考案を実施するための形態】
【００１２】
本発明者らは、上記課題を解決するために鋭意検討を行い、設置が容易であり、パネル位置の調節が容易であり、かつ物の受け渡しが行いやすい飛沫防止装置を開発した。
【００１３】
本発明は、一対の支柱であって、該支柱の長手方向に伸縮可能である支柱と、
前記支柱の長手方向に沿って移動可能かつ固定可能に設けられた隔離パネルであって、該隔離パネルは、開閉可能である、隔離パネルとを備える、飛沫防止装置を提供する。
【００１４】
また。本発明は、上記飛沫防止装置において、隔離パネルは、一対の支柱の長手方向に沿って移動可能な可動棒と、可動棒に開閉可能に設けられた防護板と、可動棒または防護板に設置され、隔離パネルを支柱の任意の位置で固定可能な固定部とを備える、飛沫防止装置を提供する。
【００１５】
また、本発明は、上記飛沫防止装置において、隔離パネルは、抗菌塗料で被覆されている飛沫防止装置を提供する。
【００１６】
また、本発明は、上記飛沫防止装置において、隔離パネルは、トルクヒンジを備えることにより開閉可能である飛沫防止装置を提供する。
【００１７】
また、本発明は、上記飛沫防止装置において、隔離パネルは、二枚の防護板を備え、一方の防護板が固定され、他方の防護板が開閉可能である飛沫防止装置を提供する。
【００１８】
本発明の飛沫防止装置は、可動式の支柱を有することにより、任意の広さの部屋等に装置を設置することができる。また、本発明の飛沫防止装置は、可動式の隔離パネルを備えることにより、設置環境に適応した位置にて隔離パネルを設置することができる。さらに、本発明の飛沫防止装置は、隔離パネルを設置しても物のやりとりを妨げることがない。
【図面の簡単な説明】
【００１９】
【図１】本発明の飛沫防止装置の一実施例を示す図。
【図２】本発明の飛沫防止装置の支柱における伸縮部の一例を示す図。
【図３】本発明の飛沫防止装置の支柱における伸縮部の一例を示す図。
【図４】本発明の飛沫防止装置の隔離パネルの一例を示す上面断面図。
【図５】本発明の飛沫防止装置の隔離パネルの一例を示す模式図。
【図６】本発明の飛沫防止装置の隔離パネルの一例を示す模式図。
【００２０】
本発明の飛沫防止装置は、ウイルスなどの感染防止のために利用される飛沫防止装置である。
【００２１】
以下、図面を参照して本発明の飛沫防止装置を説明する。本発明の飛沫防止装置1は、図1に示すように、一対の支柱2と隔離パネル3とを備える。
【００２２】
支柱2は、長手方向に伸縮可能である。支柱は、たとえば図1に示すように、支柱2に伸縮部21を設けることによって伸縮させることができる。
【００２３】
伸縮部21は、長手方向の長さを伸縮することができる任意の構成であることができる。伸縮部21は、たとえば図2に示すように、2種のサイズの支柱20を入れ子状に設けることによって形成することができる。支柱20自身を伸縮させて長さを調整する。図2左に示すように、支柱20を外管20ａと内管20ｂから構成する。外管20ａに孔部22ａを設け、内管20ｂに孔部22ｂを設ける。
【００２４】
外管20ａに内管20ｂを挿入し、外管20ａから内管20ｂを適切な長さまで延伸させて伸張部21の長さを調整する（図2中央）。複数の孔部22ｂの一箇所を孔部22ａに合わせて固定する。複数の孔部22ｂのいずれかを孔部22ａに合わせることによって伸縮部21の長さを調整する。外管20ａと内管20ｂの穴を逆にして、複数の孔部22ａを設けて孔部20ｂを1つとしてもよい。入れ子状の外管20ａと内管20ｂの適切な位置の穴に止め具23を差し込むことにより支柱の長さを固定することができる。孔部20ａに所望の孔部20ｂを合わせて、図2右に示すように、止め具23を孔部20ａおよび孔部20ｂに挿入して固定する。止め具23は、ボルトとし、ナット23aを締めることによって支柱を固定させてもよい。
【００２５】
伸縮部21は、図3に示すように、受け部材24と受け部材24から伸張するねじ状のアジャスタ25とで構成することができる。支柱2には、アジャスタ25に適合するナット部材等を設けておき、アジャスタ25をナット部材にねじ込むことによって伸縮部21を構成することができる。支柱2の長さを縮める場合は、アジャスタ25をナット部材にねじ込み、支柱2の長さを伸ばす場合は、ねじを緩めればよい。
【００２６】
伸縮部21は、たとえば既存の突っ張り棒と同様の機構によって伸縮させる構成であることもできる。また、伸縮部21は、外管と内管を使用すると共に、市販の高さ調節レバーを設置することによって伸縮させる構成であることもできる。
【００２７】
伸縮部21を有することにより、任意の場所に本発明の飛沫防止装置を設置することができる。床面から天井までがどのような長さであっても、伸縮部21の長さを調節することによりしっかりと支柱2を固定することができる。また、支柱2を机から天井の長さに調節することにより、机の上等に本発明の飛沫防止装置を設置することができる。
【００２８】
伸縮部21は、支柱2のいずれの箇所に設けることができる。たとえば、図1に示すように支柱2の両端に設けることもできるし、一端に設けることもできる。また、支柱2の中央その他の任意の位置に設けてもよい。
【００２９】
また、支柱2は、受け部材24を備えてもよい。受け部材24は、支柱2の両端に設けてもよく、一端だけに設けてもよい。受け部材24を有することにより、しっかりと支柱2を固定することができる。
【００３０】
本発明の飛沫防止装置は、一対の支柱2の間に隔離パネル3を備える。隔離パネル3は、支柱2の長手方向に沿って移動可能かつ固定可能に設けられる。隔離パネル3は、任意の構成によって支柱2の長手方向に沿って移動させ、かつ固定させることができる。たとえば、隔離パネル3は、図4に示すように移動棒31を設けることによって移動させ、かつ固定させることができる。図4は、本発明の飛沫防止装置の隔離パネルの一例の上面断面図である。支柱2にガイドレール26を設け、一方隔離パネル3に可動棒31を設ける。また、可動棒31の支柱に面する部分にガイドキャリッジ32を設ける。ガイドレール26内をガイドキャリッジ32が移動することにより、可動棒31および隔離パネル3をの長手方向に沿って移動させることができる。
【００３１】
隔離パネル3は、任意の構成によって支柱2の長手方向の所望の位置に固定せることができる。たとえば、隔離パネル3は、任意の固定部を設けることによって固定することができる。固定部は、ウインドウラッチなどであることができる。図1および図4には、固定部をラッチ34として示してある。隔離パネル3を固定する構成として、たとえば図1に示すように、支柱2に固定穴27を設け、一方隔離パネル3にラッチ34を設ける。隔離パネル3の支柱に面する部分にラッチ34を設ける。ラッチ34を握りながら隔離パネル3をの長手方向に沿って移動させ、所望の位置にてラッチ34の突起を固定穴27に挿入することにより、隔離パネル3を固定することができる。
【００３２】
隔離パネル3は、図1に示すように、防護板33を備える。防護板33は、対面する者から飛散する飛沫を防護するための板である。防護板33は、その利用状況に応じて、任意の材質、厚み、サイズ、色および重量であることができる。防護板31は、たとえばアクリル板およびポリカーボネート板などの透明な材質であることができる。また、防護板31は、透明ではあるものの、その存在が分かるように着色されていてもよい。防護板31は、0.1mm〜10mm、たとえば1mm、3mm、5mmまたは7mmの厚みであることができる。隔離パネル3は、任意の構成によって防護板31を備えてもよい。
【００３３】
隔離パネル3は、任意の構成によって開閉可能にすることができる。開閉可能とは、隔離パネル3を挟んだ2者において物のやりとりができるように防護板を移動できることを意味する。隔離パネル3の防護板が固定されていると、対面する者は防護パネルをよけて物のやりとりをしなければならない。しかし、防護板を開閉可能とすることにより、必要なタイミングにおいて、対面する者の間で物のやりとりを容易にすることができる。隔離パネル3は、たとえば図1および図5に示すように、対面する者の前後にスイングする機構によって開閉可能とすることができる。隔離パネル3は、たとえばヒンジ35を設けることによって開閉可能とすることができる。図1に示すように、可動棒31と防護板33とをヒンジ35によって接続することによって防護板33を開閉可能とすることができる。図5に示すように、ヒンジ35によって接続することにより、防護板33を押すこと、または引くことによって防護板33が前後に移動し、開閉することができる。また、ヒンジ35としてトルクヒンジを使用することにより、防護板33を開閉した任意の位置にて固定することもできる。使用者は、必要なタイミングで防護板33を開閉し、会話をする際には防護板33を垂直向きに移動して飛沫の飛散を防護することができる。
【００３４】
隔離パネル3は、任意の部分を開閉可能にすることができる。図6に示すように、防護板33の所望の部分のみを開閉可能にすることができる。たとえば、隔離パネル3において、二枚の防護板として防護板33aと防護板33bとを備え、防護板33aを固定し、防護板33bを開閉可能にすることができる。たとえば、可動棒31にと防護板33aを止め具36によって固定し、防護板33aと防護板33bとをヒンジ35によって接続することによって防護板33bを開閉可能とすることができる。
【００３５】
また、隔離パネル3は、その他にも防護板33を左右にスライド可能にすることなどによって開閉可能とすることができる。
【００３６】
本発明の飛沫防止装置は、抗菌塗料で被覆することができる。特に、隔離パネル3は、対面する者の間に設置されるため、防護板33などに使用者からの飛沫が飛散する可能性が高い。隔離パネル3を抗菌塗料で被覆することにより、たとえ使用者から飛沫が飛散して付着したとしても、その抗菌、殺菌作用によってウイルスなどの拡散の可能性を減少させることができる。抗菌塗料は、任意の塗料を使用することができる。たとえば、ヒヨコペイント株式会社のアクリルウレタン塗料を使用することができる。このようなアクリルウレタン塗料は、透明な塗料であって、かつ抗菌殺菌作用を有する。したがって、防護板33として透明なパネルを使用した場合であってもその視界を妨げることはない。アクリルウレタン塗料は、たとえば以下の主剤と硬化剤を混ぜ合わせることによって硬化する塗料であることができる。主剤：抗菌剤3.0％、アクリルポリオール樹脂ワニス（5.5％）73.4％、助剤（微量）、芳香族炭化水素系溶剤19.8％およびエステル系溶剤3.8％の重量比。硬化剤非黄変ポリイソシアネート55.0％および酢酸ブチル45.0％。
【００３７】
本発明の飛沫防止装置は、飛沫による感染を防止する装置として、互いの空間を仕切るための簡易に設置することができ、および撤去することができ、かつ互いに物の受け渡しをしやすい飛沫防止装置である。さらに、本発明の飛沫防止装置は、抗菌作用を有する飛沫防止装置である。
【実施例】
【００３８】
飛沫防止装置の一例
図1および2に示す飛沫防止装置1を作製する。飛沫防止装置1の支柱2は、市販のL字状のアルミ汎用剤を使用する。支柱2には、ガイドレールとしてミニガイドレールスガツネ：MRS20を取り付ける。また、支柱2には、孔部を開けておく。同様に、支柱2には、固定穴を開けておく。
【００３９】
隔離パネル3は、可動棒31としてYCR*658角パイプを使用する。可動棒31の支柱2と接する面にミニガイドキャリッジスガツネ：MR-20CSを取り付ける。YCR*658角パイプには、トルクヒンジとしてスガツネ：HG-TA20を使用して防護板33を取り付ける。防護板33は、5mmの厚みのポリカーボネートを使用する。また、固定部としてウインドラッチ-838を使用する。
【００４０】
抗菌作用の試験
本願発明に使用する抗菌塗料として、アクリルウレタン塗料の抗菌力を試験した。ヒヨコペイント株式会社より提供された塗料検体6種について大腸菌および黄色ブドウ球菌の2種の菌に対する抗菌力を試験した。
1.ブランク  メラミン焼付け塗料
2.メラミン焼付け塗料
3.一液アクリル塗料
4.アクリルウレタン塗料
5.KD-1500
6.EM塗料
【００４１】
試験菌、培地および初発菌数は以下のとおりである。
A.  大腸菌  初発菌数1.5×105
肉エキス          5.0ｇ
ペプトン          10.0g
塩化ナトリウム    5.0g
寒天              15.0g
純水(pH7.0±0.1）  1000ml
B.  黄色ブドウ球菌  初発菌数1.7×106
酵母エキス          5.0ｇ
カゼイン一スイ消化ペプトン
10.0g
ゼラチン          5.0g
乳糖              5.0g
D-マンニトール    5.0g
塩化ナトリウム    5.0g
リン酸2カリウム  5.0g
寒天              15.0g
純水(pH7.0±0.2）  1000ml
【００４２】
試験方法
試験菌液を液体表面に1ml滴下し、25℃にて24時間培養し、滅菌したリン酸緩衝液を添加して試験菌液を洗い出し、その希釈液1mlを回収し、菌数測定用培地SCD（大豆カゼインペプトン、ミクロカゼインペプトン、食塩）寒天培地の平板法によって生菌数の測定をおこなった。
【００４３】
結果
24時間後の生菌数
【表１】
0003228215.tif 000003
【００４４】
3．一液アクリル塗料、4.アクリルウレタン塗料、5.KD-1500および6.EM塗料については、各細菌が検出されなかった。したがって、本発明の飛沫防止装置をこれらの塗料で被覆することにより、たとえ使用者から飛沫が飛散して付着したとしても、その抗菌、殺菌作用によってウイルスなどの拡散の可能性を減少させることができる。上記塗料は、透明な塗料であって、かつ抗菌殺菌作用を有する。したがって、防護板として透明なパネルを使用した場合であってもその視界を妨げることはない。
【産業上の利用可能性】
【００４５】
本発明は、飛沫防止のために好適に利用可能である。
【符号の説明】
【００４６】
1・・・飛沫防止装置
2・・・支柱
20・・・支柱
20a・・・外管
20b・・・内管
21・・・伸縮部
22・・・穴部
23・・・止め具
24・・・受け部材
25・・・アジャスタ
26・・・ガイドレール
27・・・固定穴
3・・・隔離パネル
31・・・可動棒
32・・・ガイドキャリッジ
33・・・防護板
34・・・ラッチ（固定部）
35・・・ヒンジ
36・・・止め具
【図１】
0003228215.tif 000004
【図２】
0003228215.tif 000005
【図３】
0003228215.tif 000006
【図４】
0003228215.tif 000007
【図５】
0003228215.tif 000008
【図６】
0003228215.tif 000009
【手続補正書】
【提出日】令和2年7月13日(2020.7.13)
【手続補正１】
【補正対象書類名】実用新案登録請求の範囲
【補正対象項目名】全文
【補正方法】変更
【補正の内容】
【実用新案登録請求の範囲】
【請求項１】
一対の支柱であって、該支柱の長手方向に伸縮可能である支柱と、
前記支柱の長手方向に沿って移動可能かつ固定可能に設けられた隔離パネルであって、該隔離パネルは、開閉可能である、隔離パネルと、
を備える、飛沫防止装置。
【請求項２】
前記隔離パネルは、
前記一対の支柱の長手方向に沿って移動可能な可動棒と、
前記可動棒に開閉可能に設けられた防護板と、
前記可動棒または前記防護板に設置され、前記隔離パネルを前記支柱の任意の位置で固定可能な固定部と、
を備える、請求項1に記載の飛沫防止装置。
【請求項３】
前記隔離パネルは、抗菌塗料で被覆されている、請求項1または2に記載の飛沫防止装置。
【請求項４】
前記隔離パネルは、トルクヒンジを備えることにより開閉可能である、請求項1〜3のいずれか一項に記載の飛沫防止装置。
【請求項５】
前記隔離パネルは、二枚の防護板を備え、一方の防護板が固定され、他方の防護板が開閉可能である、請求項1に記載の飛沫防止装置。